(57)【要約】【課題】  石膏ボードの両面に表面材を貼着した天井パネルを配列して耐火天井を構成する目地部の連結構造の提供。【解決手段】  隣り合う天井パネル１，１を間に目地を残して配列し、目地の上には両天井パネル１，１に跨って所定長さの連結プレート２を沿設し、又連結プレート２を収容した状態で両天井パネル１，１に跨ってコ形断面をしたカバー材３を配置し、該カバー材３の内部には石膏ボード９ａ，９ｂ，９ｂを充填して上面からネジ１０を通して連結プレート２を貫通して天井パネル１，１にネジ止めし、そして、カバー材３の上面には支持プレート４をネジ止めして天井から垂下した吊ボルト５にて吊設し、一方、隣り合う天井パネル間の目地８には石膏ボード１６を充填すると共に、止着片１３，１３に目地ジョイント１４を係止して連結プレート２にネジ止めする。【選択図】    図１
2008184788.tif 000002
【特許請求の範囲】
【請求項１】
耐火天井を構成する目地部の連結構造において、天井パネルは石膏ボード等の不燃材の両面に金属製の表面材を貼着し、側端には該表面材を屈曲して止着片を形成したものであり、隣り合う天井パネルを間に目地を残して配列し、目地の上には両天井パネルに跨ってコ形断面をした所定長さのカバー材を配置し、そして上記目地及びカバー材とパネル面との間に形成される空間には不燃材を充填し、又上記カバー材と天井パネルを連結・固定すると共に上記止着片に目地ジョイントを係止してネジ止めし、更にカバー材を天井に吊設したことを特徴とする耐火天井の目地部連結構造。
【請求項２】
耐火天井を構成する目地部の連結構造において、天井パネルは石膏ボード等の不燃材の両面に金属製の表面材を貼着し、側端には該表面材を屈曲して止着片を形成したものであり、隣り合う天井パネルを間に目地を残して配列し、目地の上には両天井パネルに跨って所定長さの連結プレートを沿設し、又連結プレートを収容した状態で両天井パネルに跨ってコ形断面をした所定長さのカバー材を配置し、該カバー材の内部には石膏ボード等の不燃材を充填して上面からネジを通して連結プレートを貫通して天井パネルにネジ止めし、そして、カバー材の上面には支持プレートをネジ止めして天井から垂下した吊ボルトにて吊設し、一方、隣り合う天井パネル間の目地には石膏ボード等の不燃材を充填すると共に、上記止着片に目地ジョイントを係止して連結プレートにネジ止めし、これら各ネジの先端は空間に充填した不燃材内に位置し、更に目地ジョイント及びネジ頭をカバーする為に目地カバーを嵌めたことを特徴とする耐火天井の目地部連結構造。
【請求項３】
上記支持プレートにはナットを溶接して起立し、該ナットに天井から垂下する吊ボルトを螺合して吊設した請求項２記載の耐火天井の目地部連結構造。
【発明の詳細な説明】
【技術分野】
【０００１】
本発明は天井に耐火性能を持たせた場合の、目地部の連結構造に関するものである。
【背景技術】
【０００２】
天井には天井パネルが配列されて天井を構成しているが、該天井パネルの接合構造は色々ある。例えば、図４に示すように隣り合う天井パネル(イ)、(イ)はエ型断面の繋ぎ材(ロ)を介して連結され、該繋ぎ材(ロ)の空間(ハ)、(ハ)に天井パネル(イ)、(イ)の側端部(ニ)、(ニ)が嵌って支持される。しかし、上記エ型断面の繋ぎ材(ロ)は天井面に表面化して外観上好ましくなく、又天井を断熱構造とする場合には、上記繋ぎ材(ロ)を介しての天井パネル(イ)、(イ)の連結には問題がある。
【０００３】
すなわち、繋ぎ材(ロ)の空間(ハ)、(ハ)に嵌る側端部(ニ)、(ニ)には隙間が発生し、該隙間から熱が逃げてしまう。そこで、断熱構造とする天井パネルの接合では、天井パネルの側端に溝を形成すると共に該溝にスプライン繋ぎ材を隙間なく嵌合して構成している。そして、該スプライン繋ぎ材の材質も断熱性の高い樹脂製とすることで、天井の断熱性を向上することが出来る。
【０００４】
図５は断熱構造を備えた従来の天井裏側外観を示しているが、所定の間隔をおいて配置されている受材(ホ)は吊ボルトにて吊設され、そして受材(ホ)には受金具(ヘ)、(ヘ)・・が取付けられ、天井パネル(イ)、(イ)・・は上記受金具(ヘ)、(ヘ)・・にネジ止めされている。図６は天井パネル(イ)、(イ)の接合部を表している斜視図であり、一方の天井パネル側端に形成した溝(ト)にはスプライン繋ぎ材(チ)が嵌合し、他方の天井パネル(イ)はスプライン繋ぎ材(チ)から分離された状態となっているが、隣り合う天井パネル(イ)、(イ)はその側端溝(ト)、(ト)にスプライン繋ぎ材(チ)が嵌合することで接合する。
【０００５】
そして、受材(ホ)に係止した受金具(ヘ)から下方へ延びるネジ(リ)はスプライン繋ぎ材(チ)を固定している。すなわち、スプライン繋ぎ材(チ)をネジ止めすることで、側端溝(ト)、(ト)にスプライン繋ぎ材(チ)が嵌ることにより天井パネル(イ)、(イ)を吊設することが出来る。
【０００６】
このように断熱天井は目地部における天井パネルの連結に隙間を残さないことで効果を達成することは可能であるが、耐火天井ともなればその条件は非常に高くなり、目地部の構造は全く異なる。単に隙間を作らないといった簡単なことで耐火天井とはならない。今日、建築基準法にて天井の耐火性能は規定されていないが、市場では天井の耐火性能も求められている。
【０００７】
特開２００１−１８２２１３号に係る「耐火天井構造」は従来技術であり、天井裏に下地として設けられた野縁に取付けられる耐火天井本体を、無機質繊維断熱材と、その両側に重ね合わされた石膏ボードと、天井表側の石膏ボードに重ね合わされたケイ酸カルシウム板とで構成している。
このように、無機質繊維断熱材、石膏ボード、及びケイ酸カルシウムに関しては耐火性を有しているが、火災が発生した際の高熱はこれら各ボードの接合部から侵入するために、この技術では不十分である。
【特許文献１】特開２００１−１８２２１３号に係る「耐火天井構造」
【発明の開示】
【発明が解決しようとする課題】
【０００８】
このように、耐熱性の天井パネルを使用して隙間なく配列しただけの構造では耐火天井を構成することは出来ない。本発明が解決しようとする課題はこの問題点であり、耐熱性の天井パネルの接合部に隙間を発生することなく、しかも耐火性能を備えた天井の目地部連結構造を提供する。
【課題を解決するための手段】
【０００９】
本発明に係る天井パネルの目地部連結構造は、隙間を有しないだけでなく、天井の天井面側(部屋側)から上側(天井裏)にかけて連通するネジなどの部材を使用しない構造となっている。ところで、天井パネルは石膏ボード等の不燃材の両面に表金属製の表面材を貼着したもので、隣り合う天井パネルに跨って目地上側にはコ形断面のカバー材を配置している。ここで、コ形断面のカバー材は目地に沿って延びる長尺材となっている。
【００１０】
上記カバー材の内部は石膏ボード等の不燃材で隙間なく充填され、カバー材は天井パネルに連結・固定される。そして、カバー材の上面には支持プレートが取着されて天井から垂下する吊ボルトにて吊設される。従って、隣り合う天井パネルはその目地部がカバー材にて連結されると共に、吊設される。ここで、不燃材としては上記石膏ボードの他に、ケイ酸カルシウム板、木毛セメント板などが一般的である。
【００１１】
そして、隣り合う天井パネルの目地空間には不燃材が充填され、表面材を曲げ成形した止着片に目地ジョイントを係止した状態でネジ止めされている。又、ネジ頭及び目地ジョイントをカバーする為の目地カバーを取付けている。ここで、これらネジなどの連結手段は天井面と天井裏を連通しないように先端は不燃材内部に位置している。
【発明の効果】
【００１２】
本発明に係る耐火天井の目地部連結構造では、所定の隙間(目地)を残して天井パネルが配列し、隣り合う天井パネルに跨って目地の上にコ形断面のカバー材を載置し、カバー材は天井パネルにネジ止めされる。そして、コ形断面のカバー材と天井パネルとの間に形成される空間には石膏ボード等の不燃材が充填されて隙間を残していない。
【００１３】
又、目地空間にも石膏ボード等の不燃材が充填されることで隙間は存在しない。従って、部屋で火災が発生して天井パネルの下側が高温と成っても、天井パネルの目地部から高熱が侵入しなくなる。そして、目地部の上にはカバー材が配置されて、その空間には不燃材が充填されている為に、目地部を通過して熱が天井裏側へ逃げることを抑制することが出来る。
【００１４】
そして、カバー材と天井パネルを連結するネジなどの連結手段は天井面まで達せず、又天井面側から目地に充填した不燃材に螺合するネジはカバー材まで達しない長さとしている。又、天井パネルの表面材は天井面と裏側面とは分離している為に天井面側の高熱は裏側へ伝達しない。このように金属部材が天井面と天井裏を連通する構造でないために、目地連結部の耐火性能は非常に高くなる。
【実施例】
【００１５】
図１は本発明の耐火天井の目地部連結構造を示す実施例である。同図の１は天井パネル、２は連結プレート、３はカバー材、４は支持プレート、５は吊ボルトを表している。天井パネル１は石膏ボード６の両面に金属製の表面材７ａ，７ｂを貼着しており、隣り合う天井パネル１，１・・は所定の距離(目地８)を置いて配列されている。そして、隣り合う天井パネル１，１・・の目地部上面には上記連結プレート２が両天井パネル１，１に跨って載置され、さらにコ形断面のカバー材３が配置されている。
【００１６】
コ形断面のカバー材３の内部には所定の寸法に切断した石膏ボード９ａ，９ｂ，９ｂが充填されて、隙間がないようになっている。ここで、連結プレート２及びコ形断面のカバー材３は所定長さの長尺材であって、配列されている天井パネル１，１・・の目地８に沿って設けられている。そして、カバー材３の上面からはネジ１０，１０・・が挿通されて、上記連結プレート２を貫通すると共に天井パネル１，１に螺合して連結されている。
【００１７】
上記ネジ１０，１０・・の先端は天井パネル１，１の石膏ボード内に位置し、天井面と成る表面材７ａ，７ａまでは延びていない。従って、火災により天井パネル１，１の表面材７ａ，７ａが高温になった場合でも、上記ネジ１０，１０・・を伝わってカバー材３へ熱が伝達されることはない。コ形断面のカバー材３の上面には支持プレート４が置かれ、該支持プレート４とカバー材３の上面はネジ止めされている。そして、支持プレート４にはナット１１が溶接されて起立し、このナット１１に天井から垂下する吊ボルト５が螺合している。吊ボルト５が弛まないように弛み止めナット１２が締め付けられている。
【００１８】
又、隣り合う天井パネル１，１は、天井面側の表面材７ａ，７ａを曲げ成形して止着片１３，１３を側端に設け、この止着片１３，１３に目地ジョイント１４が係止して隣り合う天井パネル１，１は互いに連結され、該目地ジョイント１４は下方から挿通したネジ１５が上記連結プレート２に螺合して固定されている。しかし、そのネジ１５の先端はコ形断面のカバー材３の内部に収容している石膏ボード９ａに位置し、カバー材３の上面までは達していない。
【００１９】
従って、ネジ１５を伝って天井面側の熱がカバー材３の上面に伝達することはない。又、この目地８の空間に石膏ボード１６が充填されていて、目地８に隙間が残されることはない。従って、目地８の空間を伝って対流により熱が天井裏へ伝わることも出来ない構造としている。
【００２０】
図２は前記図１の目地部連結構造の展開図を表している。天井パネル１，１・・を取付けるだけであれば、天井から垂下する吊ボルト５の下端に連結している上記支持プレート４があればよい。該支持プレート４に目地ジョイント１４を介してネジ止めし、目地８の空間には目地カバー１７を嵌めることが出来る。
【００２１】
しかし、本発明ではコ形断面のカバー材３を目地８に沿設すると共に、カバー材３の中には石膏ボード９ａ，９ｂ，９ｂを隙間なく充填し、又目地空間にも石膏ボード１６を隙間なく充填した構造としている。しかも、各ネジ１０，１０、１５は天井面と天井裏面とが貫通しないように螺合し、その他の金属部材も天井面側と天井裏面側とは連続した構造となっていない。天井パネル１の金属製の表面材７ａ，７ｂにしても天井面側と天井裏面側とは互いに分離している。
【００２２】
図３は本発明に係る耐火天井の目地部連結構造を示す他の実施例である。同図の１は天井パネル、３はカバー材、４は支持プレート、５は吊ボルトを表し、基本構造は前記図１に示した目地部連結構造と共通している。そこで、天井パネル１は石膏ボード６の両面に金属製の表面材７ａ，７ｂを貼着しており、隣り合う天井パネル１，１・・は所定の目地８を置いて配列されている。
【００２３】
ただし、この実施例では隣り合う天井パネル１，１・・の目地部上側に連結プレート２はなく、コ形断面のカバー材３が両天井パネル１，１に跨って配置されている。コ形断面のカバー材３は目地８に沿って延びている。ところで、上記連結プレート２は隣り合う天井パネル１，１の目地部連結構造の連結強度を向上させる働きを有し、耐火性能には直接的な影響はない為に、該連結プレート２を備えない目地部連結構造とすることも出来る。
【図面の簡単な説明】
【００２４】
【図１】本発明に係る耐火天井の目地部連結構造を示す実施例。
【図２】耐火天井の目地部連結構造の展開図。
【図３】本発明に係る耐火天井の目地部連結構造を示す他の実施例。
【図４】従来の天井パネル接合構造。
【図５】天井裏側の外観図。
【図６】スプライン繋ぎ材を使用した従来の接合構造。
【符号の説明】
【００２５】
１  天井パネル
２  連結プレート
３  カバー材
４  支持プレート
５  吊ボルト
６  石膏ボード
７  表面材
８  目地
９  石膏ボード
10  ネジ
11  ナット
12  弛み止めナット
13  止着片
14  目地ジョイント
15  ネジ
16  石膏ボード
17  目地カバー
【図１】
2008184788.tif 000003
【図２】
2008184788.tif 000004
【図３】
2008184788.tif 000005
【図４】
2008184788.tif 000006
【図５】
2008184788.tif 000007
【図６】
2008184788.tif 000008